【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
第１レーザ光を出力する第１レーザ光源と、
第２レーザ光を出力する第２レーザ光源と、
前記第１レーザ光及び前記第２レーザ光の波長をそれぞれ所定の波長帯において変化させるように、前記第１レーザ光源及び前記第２レーザ光源を制御するレーザ制御手段と、
前記第１レーザ光と前記第２レーザ光を混合し、計測対象ガスに照射する合波手段と、
前記計測対象ガスを透過したレーザ光を受光し、受光したレーザ光の強度に応じた電気信号を出力する受光手段と、
前記受光手段から出力された電気信号に基づき前記計測対象ガスの温度及び／または濃度を分析する解析手段と、を備え、
前記レーザ制御手段は、前記第１レーザ光及び前記第２レーザ光の波長を変化させる際に、前記第１レーザ光の振幅の大きさと前記第２レーザ光の振幅の大きさとを異ならせて、かつ、前記第１レーザ光の強度と前記第２レーザ光の強度とを逆方向に変化させ、
前記解析手段は、前記第１レーザ光と前記第２レーザ光の振幅の差に基づいて、前記受光手段からの電気信号の波形における本来の吸収以外の要因による変動の影響をキャンセルする、
ガス分析装置。
【請求項２】
前記レーザ制御手段は、前記第１レーザ光による吸収スペクトルにおける吸収線の現れる位置と、前記第２レーザ光による吸収スペクトルにおいて現れる吸収線の現れる位置とが異なるように、前記第１レーザ光の発光強度と前記第２レーザ光の発光強度を変化させる、
請求項１記載のガス分析装置。
【請求項３】
前記レーザ制御手段は、前記第１レーザ光を、前記計測対象ガスの成分が吸収する特定の波長を含む波長帯を変化させ、前記第２レーザ光を、前記計測対象ガスの成分が吸収しない特定の波長を含む波長帯または前記計測対象ガス以外のガス成分が吸収する波長を含む波長帯を変化させる、請求項１記載のガス分析装置。
【請求項４】
前記解析手段は、前記受光手段からの電気信号の波形において検出された吸収による低下量をａ、前記第１レーザ光と前記第２レーザ光の振幅の差をｂとした場合、前記電気信号の波形における、本来の吸収以外の要因による変動の影響を（ａ/ｂ）の値に基づきキャンセルする、請求項１から３のいずれかに記載のガス分析装置。
【請求項５】
第１レーザ光を出力する第１レーザ光源と、
第２レーザ光を出力する第２レーザ光源と、
前記第１レーザ光及び前記第２レーザ光の波長をそれぞれ所定の波長帯において変化させるように、前記第１レーザ光源及び前記第２レーザ光源を制御するレーザ制御手段と、
前記第１レーザ光と前記第２レーザ光を混合する合波手段と、
前記合波手段から出力されたレーザ光を複数の光路に分岐して計測対象ガスに照射する分波手段と、
前記複数の光路の各々に対応して設けられ、前記計測対象ガスを透過したレーザ光を受光し、受光したレーザ光の強度に応じた電気信号を出力する複数の受光手段と、
各受光手段から出力された電気信号に基づき、計測対象ガスの温度及び／または濃度の分布に関する二次元画像を再構築する解析手段と、を備え、
前記レーザ制御手段は、前記第１レーザ光及び前記第２レーザ光の波長を変化させる際に、前記第１レーザ光の振幅の大きさと前記第２レーザ光の振幅の大きさとを異ならせて、かつ、前記第１レーザ光の強度と前記第２レーザ光の強度とを逆方向に変化させ、
前記解析手段は、前記第１レーザ光と前記第２レーザ光の振幅の差に基づいて、前記受光手段からの電気信号の波形における本来の吸収以外の要因による変動の影響をキャンセルする、
二次元ガス分析装置。
【請求項６】
前記レーザ制御手段は、前記第１レーザ光による吸収スペクトルにおける吸収線が現れる位置と、前記第２レーザ光による吸収スペクトルにおける吸収線が現れる位置とが異なるように、前記第１レーザ光の強度と前記第２レーザ光の強度を変化させる、請求項５記載の二次元ガス分析装置。
【請求項７】
前記レーザ制御手段は、前記第１レーザ光を、前記計測対象ガスの成分が吸収する特定の波長を含む波長帯を変化させ、前記第２レーザ光を、前記計測対象ガスの成分が吸収しない特定の波長を含む波長帯または前記計測対象ガス以外のガス成分が吸収する波長を含む波長帯を変化させる、請求項５記載の二次元ガス分析装置。
【請求項８】
前記解析手段は、前記受光手段からの電気信号の波形において検出された吸収による低下量をａ、前記第１レーザ光と前記第２レーザ光の振幅の差をｂとした場合、前記電気信号の波形における、本来の吸収以外の要因による変動の影響を（ａ/ｂ）の値に基づきキャンセルする、請求項５から７のいずれかに記載の二次元ガス分析装置。
【請求項９】
第１レーザ光及び第２レーザ光の波長をそれぞれ所定の波長帯において変化させながら、前記第１レーザ光及び前記第２レーザ光を出力するステップと、
前記第１レーザ光と前記第２レーザ光を混合し、計測対象ガスに照射するステップと、
前記計測対象ガスを透過したレーザ光を受光するステップと、
前記受光したレーザ光の情報に基づき前記計測対象ガスの温度及び／または濃度を分析するステップと、を含み、
前記第１レーザ光及び前記第２レーザ光の波長を変化させる際に、前記第１レーザ光の振幅の大きさと前記第２レーザ光の振幅の大きさとを異ならせて、かつ、前記第１レーザ光の強度と前記第２レーザ光の強度とを逆方向に変化させ、
前記分析するステップは、前記第１レーザ光と前記第２レーザ光の振幅の差に基づいて、前記受光したレーザ光の情報における本来の吸収以外の要因による変動の影響をキャンセルする、
ガス分析方法。
【請求項１０】
前記第１レーザ光及び前記第２レーザ光の波長を変化させる際に、前記第１レーザ光による吸収スペクトルにおける吸収線が現れる位置と、前記第２レーザ光による吸収スペクトルにおける吸収線が現れる位置とが異なるように、前記第１レーザ光の強度と前記第２レーザ光の強度を変化させる、
請求項９記載のガス分析方法。
【請求項１１】
第１レーザ光及び第２レーザ光の波長をそれぞれ所定の波長帯において変化させる際に、前記第１レーザ光を、前記計測対象ガスの成分が吸収する特定の波長を含む波長帯を変化させ、前記第２レーザ光を、前記計測対象ガスの成分が吸収しない特定の波長を含む波長帯または前記計測対象ガス以外のガス成分が吸収する波長を含む波長帯を変化させる、請求項９記載のガス分析方法。
【請求項１２】
前記分析するステップにおいて、前記受光したレーザ光を示す電気信号の波形において検出された吸収による低下量をａ、前記第１レーザ光と前記第２レーザ光の振幅の差をｂとした場合、前記電気信号の波形における、本来の吸収以外の要因による変動の影響を（ａ/ｂ）の値に基づきキャンセルする、請求項９から１１のいずれかに記載のガス分析方法。
【手続補正２】
【補正対象書類名】明細書
【補正対象項目名】全文
【補正方法】変更
【補正の内容】
【発明の詳細な説明】
【発明の名称】レーザ光を用いたガス分析装置及びガス分析方法
【技術分野】
【０００１】
本発明は、レーザ光を用いて対象ガスの濃度や温度を検出する装置に関する。
【背景技術】
【０００２】
近年、地球温暖化、化石燃料の枯渇、環境汚染等の防止の観点から、様々な分野で地球環境保全やエネルギーの有効利用に関心が集まっており、そのため種々の環境技術の研究がなされている。
【０００３】
そのような環境技術において、エンジンやバーナー等における燃焼現象の燃焼構造や、その過渡的な振る舞いを詳細に解明することは重要なことである。近年、燃焼ガスにおいて温度や濃度の分布を高応答で時系列的に計測する手段として、半導体レーザ吸収法を活用した計測技術が開発されている。
【０００４】
一般に吸収法は気体分子が化学種に特有の波長の赤外線を吸収する性質及びその吸収量の温度・濃度依存性を利用した計測法である。入射光が光路長の一様な吸収媒体（対象ガス）を通過したときの、入射光の強度(Iλ0)と透過光(Iλ)の強度の比(Iλ/Iλ0)を求めることにより、対象ガスの濃度や温度を計測することができる。
【０００５】
半導体レーザを用いて吸収法を活用して計測対象ガスの性質（濃度や温度）を検出する技術として特許文献１等に開示された技術がある。
【０００６】
特許文献１は、２つのレーザダイオードからのレーザ光を合成して対象ガスに照射し、対象ガスを通過した測定光に基づきガス濃度を算出するガス検出装置を開示する。具体的には、一方のレーザダイオードは対象ガスに吸収される波長のレーザ光を発生し、他方のレーザダイオードは対象ガスに吸収されない波長のレーザ光を発生する。変調信号調整回路は、各レーザ光をほぼ同一振幅かつ互いに逆相に変調して変調光Ｌa，Ｌbを生成する。合波器は各変調光Ｌa，Ｌbを合波して測定光Ｌsとし、光ファイバ、コリメータレンズを介して対象ガス雰囲気中に出力する。対象ガス雰囲気中を通過した測定光は受光器で受光され、その出力信号中の変調成分が同期検波回路で抽出される。演算回路は抽出された変調成分からガス濃度を算出する。
【０００７】
特許文献２に開示されたガス検出装置では、対象ガスに吸収される波長λ１のレーザ光を発生するレーザダイオードから出力された変調光Ｌａは分波器に入力され、変調光Ｌａ１と変調光Ｌａ２に二分される。この二分された変調光の一方の変調光Ｌａ１と、対象ガスに吸収されない波長λ２のレーザ光を発生するレーザダイオードから出力された、変調光Ｌａと同一振幅且つ互いに逆相の変調光Ｌｂとが、第１の合波器に入力される。第１の合波器により第１の測定光Ｌｓ１が生成される。また、二分された変調光Ｌａの他方の変調光Ｌａ２と、対象ガスに吸収されない波長λ３のレーザ光を発生するレーザダイオードから出力された変調光Ｌａと同一振幅且つ互いに逆相の変調光Ｌｃとが第２の合波器に入力される。この第２の合波器により第２の測定光Ｌｓ２が生成される。そして、第１の測定光Ｌｓ１及び第２の測定光Ｌｓ２は第３の合波器に入力され、最終的に測定光Ｌｓが生成される。
【０００８】
測定光Ｌｓのうち波長λ１の成分は対象ガスの濃度が零であれば波長λ１の測定光成分は全く減衰させられないから、変調分が互いに相殺しあった一定強度の測定光Ｌｓが受光器に入力される。対象ガスの濃度が零以外であると、波長λ１の測定光成分は吸収によってガス濃度に応じて減衰する。このため、受光器の出力には波長λ１の測定光成分と、波長λ２及び波長λ３の測定光成分との差分に応じた変調成分が現れる。これにより、特許文献１の検出装置によれば、検出途中の一部隠蔽などのさまざまなノイズの有無に関わらず、零点安定を維持すると共に、超高精度なガス漏れ検知を行うことができる。
【０００９】
特許文献３は、レーザ光を分波器で計測用レーザ光と参照用レーザ光とに分波し、計測用レーザ光をガス中に透過させて受光器で受光し、受光した計測用レーザ光の光強度と前記参照用レーザ光の光強度とからガス中のガス成分によって吸収された吸収スペクトルを把握する方法を開示する。
【００１０】
特許文献４は、レーザ光の発振波長を所定周波数の変調信号で変調する際に、測定対象のガス状物質に固有の吸収波長を所定周波数で変調する第１の期間と、固有の吸収波長から外れた波長を所定周波数で変調する第２の期間と、を持ち、第１の期間で計測したオフセット信号を含むガス濃度信号から、第２の期間で計測したオフセット信号を差し引くことにより、正確なガス濃度を求める方法を開示する。
【先行技術文献】
【特許文献】
【００１１】
【特許文献１】特開平11-142327号公報
【特許文献２】特開2001-66250号公報
【特許文献３】特開2008-51598号公報
【特許文献４】特開2011-158426号公報
【発明の概要】
【発明が解決しようとする課題】
【００１２】
特許文献１に開示の技術では、レーザ光の波長を固定しており、波長を走査していない。このため、ノイズの影響を受けやすく、計測感度が低下するという問題がある。
【００１３】
また、特許文献１〜４に開示の技術では、光路中に設けられた窓汚れなどによるレーザ光強度の低下の影響を除去できない。具体的には、吸収スペクトルに基づき計測対象ガスを測定する場合、吸収スペクトルに現れる信号強度の低下部分（以下「吸収線」ともいう）の位置（波長）及び大きさを検出することが重要である。レーザ光の光路中に設けられた窓の汚れ等の本来の吸収以外の要因により、計測対象ガスに照射されるレーザ光が変動する場合があり、このような場合、吸収スペクトルに現れる信号強度の低下部分（吸収線）の大きさが、本来の吸収による場合と異なってしまい、ガスの分析精度が低下するという問題がある。
【００１４】
本発明は、精度よく、ガスの濃度と温度の分析を可能とするガス分析装置を提供することを目的とする。
【課題を解決するための手段】
【００１５】
本発明に係るガス分析装置は、第１レーザ光を出力する第１レーザ光源と、第２レーザ光を出力する第２レーザ光源と、第１レーザ光及び第２レーザ光の波長をそれぞれ所定の波長帯において変化させるように、第１レーザ光源及び前記第２レーザ光源を制御するレーザ制御手段と、第１レーザ光と第２レーザ光を混合し、計測対象ガスに照射する合波手段と、計測対象ガスを透過したレーザ光を受光し、受光したレーザ光の強度に応じた電気信号を出力する受光手段と、受光手段から出力された電気信号に基づき計測対象ガスの温度及び／または濃度を分析する解析手段と、を備える。レーザ制御手段は、第１レーザ光及び第２レーザ光の波長を変化させる際に、第１レーザ光の振幅の大きさと前記第２レーザ光の振幅の大きさとを異ならせて、かつ、第１レーザ光の強度と第２レーザ光の強度とを逆方向に変化させる。
【００１６】
本発明に係る二次元ガス分析装置は、第１レーザ光を出力する第１レーザ光源と、第２レーザ光を出力する第２レーザ光源と、第１レーザ光及び第２レーザ光の波長をそれぞれ所定の波長帯において変化させるように、第１レーザ光源及び第２レーザ光源を制御するレーザ制御手段と、第１レーザ光と第２レーザ光を混合する合波手段と、合波手段から出力されたレーザ光を複数の光路に分岐して計測対象ガスに照射する分波手段と、複数の光路の各々に対応して設けられ、計測対象ガスを透過したレーザ光を受光し、受光したレーザ光の強度に応じた電気信号を出力する複数の受光手段と、各受光手段から出力された電気信号に基づき、計測対象ガスの温度及び／または濃度の分布に関する二次元画像を再構築する解析手段と、を備える。レーザ制御手段は、第１レーザ光及び第２レーザ光の波長を変化させる際に、第１レーザ光の振幅の大きさと前記第２レーザ光の振幅の大きさとを異ならせて、かつ、第１レーザ光の強度と第２レーザ光の強度とを逆方向に変化させる。
【００１７】
本発明に係るガス分析方法は、第１レーザ光及び第２レーザ光の波長をそれぞれ所定の波長帯において変化させながら、第１レーザ光及び第２レーザ光を出力するステップと、第１レーザ光と第２レーザ光を混合し、計測対象ガスに照射するステップと、計測対象ガスを透過したレーザ光を受光するステップと、受光したレーザ光の情報に基づき計測対象ガスの温度及び／または濃度を分析するステップと、を含む。第１レーザ光及び第２レーザ光の波長を変化させる際に、第１レーザ光の振幅の大きさと前記第２レーザ光の振幅の大きさとを異ならせて、かつ、第１レーザ光の強度と第２レーザ光の強度とを逆方向に変化させる。
【発明の効果】
【００１８】
本発明によれば、２つのレーザ光の強度の変化が互いに逆向きになるよう制御することで、対象ガスに照射するレーザ光の強度変化を低減でき、ガス分析の検出精度が向上できる。特に、第１レーザ光と第２レーザ光の振幅に差をつけることにより、レーザ光強度が窓の汚れなど、目的とするガス成分の本来の吸収以外の効果により減衰する効果をキャンセルすることができ、ガスの分析精度の低下を防止できる。
【図面の簡単な説明】
【００１９】
【図１】本発明の実施の形態１におけるガス分析装置の構成を示した図
【図２】実施の形態１のガス分析装置における、２つのレーザ光の波長の走査における波長の時間変化を示した図
【図３】実施の形態１のガス分析装置における、対象ガスに照射する２つのレーザ光の波長走査時における発光強度の時間変化を示した図（２つのレーザ光の振幅を異ならせた場合）
【図４】受光光量の吸収による低下量の補正を説明するための図
【図５Ａ】対象ガスに照射したレーザ光において対象ガス固有の波長成分が吸収された様子を説明するための図
【図５Ｂ】異なる２つの対象ガスに照射したレーザ光において対象ガス固有の波長成分が吸収された様子を説明するための図
【図６】水蒸気の吸収スペクトルの温度依存性を説明するための図（（ａ）３００Ｋ，（ｂ）８００Ｋ）
【図７】１つのレーザ光のみを水蒸気に照射した場合に、受光器で検出される信号波形を示した図
【図８】強度の変化の方向を逆にした２つレーザ光を水蒸気に照射した場合に、受光器で検出される信号波形を示した図
【図９】対象ガスに照射する２つのレーザ光の波長走査時におけるレーザ光の発光強度の時間変化を示した図（２つのレーザ光の振幅が同じ場合）
【図１０】本発明の実施の形態２における二次元ガス分析装置の構成を示した図
【図１１】二次元分析装置のバーナーへの応用例を説明するための図
【図１２】二次元分析装置のエンジンへの応用例を説明するための図
【図１３】二次元分析装置のジェットエンジン（産業用ガスタービン）の応用例を説明するための図
【図１４】本発明の実施の形態３におけるガス分析装置の構成を示した図
【図１５】実施の形態３のガス分析装置におけるレーザ光の強度及び受光器への印加電圧の時間的変化を説明した図
【発明を実施するための形態】
【００２０】
以下、添付の図面を参照して、本発明に係るガス分析装置の実施の形態を説明する。
【００２１】
（実施の形態１）
１．ガス分析装置の構成
図１に本発明のガス分析装置の一実施形態の構成を示す。ガス分析装置１０は、２つのレーザ（レーザ光源）１１、１２と、レーザ制御装置１４と、合波器１５と、コリメータ１７と、を備える。さらに、ガス分析装置１０は、受光器１９と、受光器１９からの信号を増幅するアンプ２１と、解析装置２３とを備える。
【００２２】
レーザ１１及びレーザ１２は、所定の波長帯域のレーザ光を出力可能な光源であり、本実施形態では、ＤＦＢレーザで構成される。ＤＦＢレーザは、レーザダイオードに入力する電流値を変化させることでレーザ光の波長を変化させることができる。また、レーザ光の波長を変化させる際、その波長の変化に応じて、出力されるレーザ光の強度も変化する。すなわち、レーザ光の波長とレーザ光の発光強度とは比例関係にある。
【００２３】
レーザ制御装置１４は、レーザ１１及びレーザ１２をそれぞれ制御して、レーザ１１、１２が出力するレーザ光の波長及び強度を制御する。具体的には、レーザ制御装置は、レーザ１１及びレーザ１２を制御し、レーザ光の波長を時間的に変化（走査）させながら、レーザ１１及びレーザ１２のそれぞれからレーザ光を出力させることができる。
【００２４】
合波器１５は、レーザ１１及びレーザ１２から出力された二つのレーザ光を分岐比50:50で混合する。コリメータ１７は、合波器１５からの混合光を平行光にし、計測対象ガスに照射する。
【００２５】
受光器１９は、計測対象ガスを透過したレーザ光を受光し、受光したレーザ光の強度に応じた電気信号に変換する。アンプ２１は、受光器１９からの電気信号（アナログ信号）を増幅するとともにデジタル信号に変換する。
【００２６】
解析装置２３は、アンプ２１から信号を入力し、入力した信号の波形（吸収スペクトル）を解析して、ガスの濃度、温度を解析する。解析装置２３は例えばコンピュータ（情報処理装置）により実現できる。
【００２７】
２．ガス分析装置の動作
以上のような構成を有するガス分析装置１０の動作について説明する。
【００２８】
本実施形態のガス分析装置１０は、レーザ１１、１２から出力されるレーザ光の波長をそれぞれの所定の波長帯において走査しながらレーザ光を計測対象ガスに照射し、その際得られるレーザ光の吸収スペクトルを解析することで、計測対象ガスの濃度や温度の計測を行う。以下、この動作を具体的に説明する。
【００２９】
レーザ１１及びレーザ１２はそれぞれ、レーザ制御装置１４の制御に基づき、強度変化の向きが互いに異なるレーザ光を出力する（なお、レーザ光の波長の変化及び光強度の変化の制御の詳細については後述する）。レーザ１１及びレーザ１２それぞれから出力されたレーザ光は合波器１５に入力され混合される。
【００３０】
その混合光はコリメータ１７を介して計測対象ガスを含む計測場に照射される。混合光がガス中を透過する際、特定の波長のレーザが計測場のガス中に含まれている計測対象ガスによって吸収され、その後、受光器１９で受光される。対象ガス成分の吸収の情報を含む受光された光は、受光器１９で電気信号に変換される。アンプ２１において、その電気信号が増幅されるとともにデジタル信号に変換されて計測受光強度信号として解析装置２３に入力される。
【００３１】
解析装置２３は、計測受光強度信号の信号波形に基づき、計測対象ガスの濃度や温度を解析する。解析は例えば以下の方法で行う。解析装置２３は、計測対象ガスに関して、種々の濃度や温度に対する計測受光強度信号の信号波形の理論値の情報を予め備えている。解析装置２３は、計測によって実際に得られた信号波形と、信号波形の理論値とを比較し、それらの誤差が最も小さくなるときの信号波形の理論値を特定する。そして、その特定した理論値に関する濃度と温度を求めることで、計測対象ガスの濃度や温度の計測値を求めることができる。
【００３２】
２．１  レーザ光の制御
以下、レーザ光の波長走査時におけるレーザ光の波長の変化及び強度の変化の制御について説明する。なお、レーザ１１、１２からそれぞれ出力されるレーザ光に対して、波長の変化の制御と強度の変化の制御とは同期して行われる。
【００３３】
２．１．１  レーザ光の波長の変化
図２は、レーザ１１及びレーザ１２を走査する際のレーザ光の波長の時間的変化を説明した図である。図２（ａ）はレーザ１１から出力されるレーザ光の波長の変化を示し、図２（ｂ）はレーザ１２から出力されるレーザ光の波長の変化を示す。同図に示すように、ガス分析装置１０では、レーザ１１、１２それぞれから出力されるレーザ光の波長を、それぞれの所定の波長帯において周期的に変化させている。
【００３４】
すなわち、レーザ１１から出力されるレーザ光（以下「レーザ光１」という）については、波長λa1から波長λa2まで走査し、レーザ１２から出力されるレーザ光（以下「レーザ光２」という）については、波長λb1から波長λb2まで走査する。ここでレーザ光１を走査する際の波長帯（λa1〜λa2）と、レーザ光２を走査する際の波長帯（λb1〜λb2）とは異なる波長領域を使用する。例えば、レーザ光１を走査する際の波長帯を、計測対象ガスの成分が吸収する特定の波長を含む波長帯とし、レーザ光２を走査する際の波長帯を、計測対象ガス成分が吸収しない特定の波長を含む波長帯としてもよい。この場合、レーザ光１の吸収スペクトルに観測される吸収線により、計測対象ガス成分を計測することができる。または、レーザ光１を走査する際の波長帯を、第１の計測対象ガスの成分が吸収する特定の波長（第１の波長）を含む波長帯とし、レーザ光２を走査する際の波長帯を、第１の計測対象ガスではない他のガス成分（第２の計測対象ガス）が吸収する特定の波長（第２の波長）を含む波長帯としてもよい。この場合、レーザ光１及びレーザ光２それぞれの吸収スペクトルに観測される吸収線により、２つのガス成分を同時に計測することが可能となる（この詳細については図５Ｂを参照して後述する。）。
【００３５】
２．１．２  レーザ光の強度の制御
本実施形態のガス分析装置１０は、波長を変化させる上で、レーザ１１とレーザ１２のレーザ光強度の変化が真逆になるように、レーザ光の強度を制御する。例えば、レーザ１１から出力されるレーザ光１の強度を図３（ａ）に示すように制御し、同時に、レーザ１２から出力されるレーザ光２の強度を図３（ｂ）に示すように制御する。このように強度変化が逆に制御された二つのレーザ光１、レーザ光２を混合させることで、レーザ光強度の全体的な変化が微小となる。混合されたレーザ光の強度の変化が微小となることにより、計測対象ガスを透過したレーザ光（受光信号）の信号強度のダイナミックレンジを縮小することができる。よって、受光信号に含まれる微弱な吸収線の情報をより明確に観測するために、受光信号全体を増幅することが容易となる。なお、図３において、横軸の時間はレーザ光の波長に対応している（後述の図５Ａ，図５Ｂにおいても同様）。
【００３６】
さらに、本実施形態では、レーザ光１とレーザ光２の強度の振幅を異ならせている。図３（ａ）、（ｂ）では、一例として、レーザ光１の振幅Ｉ１をレーザ光１の振幅Ｉ２よりも大きくしている。これにより、レーザ光１とレーザ光２の混合光は、図３（ｃ）に示すような段差ｂ（＝Ｉ１−Ｉ２）のある波形となる。このような段差のある波形を用いることで、計測対象ガスに照射されるレーザ光の変動等、本来の吸収以外の要因（レーザ光の光路中に設けられた窓の汚れ等）により受光器１９での受光量の変動が発生した場合に、その変動分を補正することが可能となる。例えば、図４に示すように、実際に計測された吸収による低下量をａ、段差の大きさをｂとし、本来（受光量の変動がない場合）の吸収による低下量をａ0、段差の大きさをｂ0とした場合、以下の式のように、吸収量は受光量の変動により影響されず、その影響を補正（キャンセル）することができる。
ａ／ｂ＝ａ0／ｂ0
【００３７】
図５Ａは、レーザ１１から出力されるレーザ光１を、計測対象ガス成分が吸収する特定の波長を含む波長帯のレーザ光とし、レーザ１２から出力されるレーザ光２を、計測対象ガス成分が吸収しない特定の波長を含む波長帯のレーザ光とした場合における吸収スペクトルを説明した図である。計測対象ガスに、レーザ光１を図３（ａ）に示すように強度を変化させながら単独で照射した場合、図５Ａ（ａ）に示すような、特定の波長に対応した位置（時間）に吸収による強度低下部分（吸収線）Ａを有する吸収スペクトルが得られる。また、レーザ光２を図３（ｂ）に示すように強度を変化させながら計測対象ガスに単独で照射した場合、図５Ａ（ｂ）に示すような吸収スペクトルが得られる。よって、レーザ光１、レーザ光２の強度をそれぞれ図３（ａ）、（ｂ）のように制御し、それらを混合したレーザ光を計測対象ガスに照射した場合、図５Ａ（ｃ）に示すような、特定の波長に対応した位置に吸収による強度低下部分（吸収線）Ａ‘を有する吸収スペクトルが得られる。このような吸収スペクトルにおいて観測される、吸収による強度低下部分Ａ‘の大きさや位置を判定することで計測対象ガスの状態（温度、濃度）を判定できる。
【００３８】
図５Ｂは、レーザ１１から出力されるレーザ光１を、第１の計測対象ガス成分が吸収する第１の波長を含む波長帯のレーザ光とし、レーザ１２から出力されるレーザ光２を、第２の計測対象ガスが吸収する第２の波長を含む波長帯のレーザ光とした場合における吸収スペクトルを説明した図である。計測対象ガスに、レーザ光１を図３（ａ）に示すように強度を変化させながら単独で照射した場合、図５Ｂ（ａ）に示すような、第１の波長に対応した位置（時間）に吸収による強度低下部分（吸収線）Ａを有する吸収スペクトルが得られる。また、レーザ光２を図３（ｂ）に示すように強度を変化させながら他のガスに単独で照射した場合、図５Ｂ（ｂ）に示すような、他のガス成分が吸収する波長に対応した位置（時間）に吸収による強度低下部分（吸収線）Ｂを有する吸収スペクトルが得られる。この場合、特に、２つのガス成分の吸収による強度低下部分Ａ，Ｂが現れる位置、すなわち、２つのガス成分の吸収線の位置が時間的にずれるように、レーザ光１，レーザ光２それぞれの波長帯域を設定する。レーザ光１、レーザ光２の強度をそれぞれ図３（ａ）、（ｂ）のように制御し、それらを混合したレーザ光を、第１及び第２の計測対象ガスが含まれるガス雰囲気中に照射した場合、図５Ｂ（ｃ）に示すような、それぞれの計測対象ガスの特定の波長に対応した位置に、吸収による強度低下部分Ａ‘、Ｂ’を有する吸収スペクトルが得られる。このように、異なる時間軸上の位置に吸収線Ａ‘、Ｂ’が現れるようレーザ光１、２の波長帯域（強度）を制御することにより、２つのガス成分の状態を判定することが可能となる。
【００３９】
以下、光の強度の変化が逆向きとなるように強度を変化させながら出力した２つのレーザ光を混合して計測対象ガスに照射したときの受光器１９での信号波形を説明する。
【００４０】
まず、水蒸気吸収スペクトルの温度依存性について説明する。図６は、1388nm域の水蒸気吸収スペクトルの温度依存性を示した図である。計算にはHITRANデータベースを用いた。図６（ａ）は３００Ｋにおける水蒸気吸収スペクトルを示し、図６（ｂ）は８００Ｋにおける吸収スペクトルを示す。図６（ａ）、（ｂ）より、吸収線＃１，＃２、＃３の強度が温度により変化しているのが分かる。これらの図より、水蒸気吸収スペクトルは温度に依存することが分かる。吸収スペクトルから二つの吸収線を選定し，それらの吸収線の強度比を求めることで温度を算出できる。なお、従来から、吸収スペクトルの濃度依存性についても知られている。よって、吸収スペクトルにおける吸収線を観測することで、計測対象ガスの温度のみならず、濃度も測定することができることは言うまでもない。
【００４１】
図７は、１つのレーザ光のみを水蒸気に照射したときに、受光器で検出された信号波形を示した図である。図７（ｂ）は、図７（ａ）に示す一周期分の波形を時間軸方向に拡大して示した図である。図７からは、吸収による変化＃１，＃２、＃３がわずかに読み取れる。
【００４２】
図８は、本実施形態の思想にしたがい光の強度の変化が逆向きとなるように強度を変化させながら出力した二つのレーザ光を混合して水蒸気に照射した場合に、受光器１９で検出された信号波形を示した図である。図８（ｂ）は、図８（ａ）に示す一周期分の波形を時間軸方向に拡大して示した図である。図８に示すように、本実施形態の２つのレーザ光を用いて検出した波形の方が、吸収による変化＃１，＃２、＃３がより顕著に現れている。
【００４３】
図７に示す一つのレーザ光を用いて行う方法では吸収量が計測受光強度信号に対して10-3レベル程度までしか評価できない。これに対して、図８に示す本実施形態における光強度の変化の方向を逆とした二つのレーザ光を用いて測定を行った場合では、計測受光強度信号は10-5レベル程度まで評価できる。これは、従来の波長変調による二次微分を評価する方法や、レファレンス信号との差分を取る方法と同程度である。
【００４４】
本実施形態のように、光強度の変化の方向を逆とした二つのレーザ光を混合したレーザ光を対象ガスに照射して吸収スペクトルを得るようにすることで、簡易な構成で、精度よく吸収量の変化を検出することができる。また、計測対象ガス成分と異なるガス成分を吸収する波長を含む波長帯のレーザ光に加えて、計測対象ガス成分と異なるガス成分を吸収する波長を含む波長帯のレーザ光を用いることで、複数のガス成分の同時計測も可能となる。
【００４５】
３．その他の構成
（１）図３に示す例では、レーザ１１から照射されるレーザ光１の振幅Ｉ１（変化量）と、レーザ１２から照射されるレーザ光２の振幅Ｉ２とは異なる値とした。しかし、受光量の変動が少ないのであれば、レーザ光１とレーザ光２の振幅とを同じにしてもよい（図９参照）。この場合、図９（ｃ）に示すような、光強度の変化が少ない混合されたレーザ光が得られる。
【００４６】
（２）上記の例では、図３に示すように、レーザ光の強度を鋸歯状に変化させたが、変化のさせ方はこれに限定されない。レーザ光１及びレーザ光２を、互いの強度の変化の向きを逆にして正弦波状に変化させてもよい。すなわち、レーザ光１及びレーザ光２の混合した光において強度の変化が低減されるようにレーザ光１及びレーザ光２の強度を変化させればよい。このようにレーザ光の強度を正弦波状に変化させた場合も、レーザ光１とレーザ光２の振幅に差を与えることで、レーザ光の強度を鋸歯状に変化させた場合と同様の効果を得ることができる。
【００４７】
（３）図３、図５Ａ、図５Ｂの例では、一周期において、レーザ光１を単調増加させ、レーザ光２を単調減少させるようにレーザ光の強度を変化させたが、反対に、レーザ光１を単調減少させ、レーザ光２を単調増加させるようにレーザ光の強度を変化させてもよい。
【００４８】
（４）上記の例では、レーザ光１の走査波長帯（λa1〜λa2）とレーザ光２の走査波長帯（λb1〜λb2）とは異なる波長領域であるとしたが、レーザ光１とレーザ光２による吸収スペクトルにおいて現れる吸収線の位置が異なっていれば、走査波長帯の一部が重なっても良い。
【００４９】
（５）図５Ｂの例では、レーザ光１とレーザ光２による吸収スペクトルにおいて、異なる２種類の計測対象ガスの吸収線が現れる位置がずれるようにレーザ光１とレーザ光２を制御する点について説明した。レーザ光１とレーザ光２の走査波長帯が同一の計測対象ガスの特定の波長を含む場合、レーザ光１とレーザ光２による吸収スペクトルにおいて、同一の計測対象ガスの吸収線の現れる位置がずれるように、レーザ光１とレーザ光２を制御すればよい。
【００５０】
４．まとめ
以上説明したように、本実施形態のガス分析装置１０は、レーザ光１を出力するレーザ１１と、レーザ光２を出力するレーザ１２と、レーザ光１及びレーザ光２の波長をそれぞれ所定の波長帯において変化させるように、レーザ１１及び１２を制御するレーザ制御装置１４と、レーザ光１とレーザ光２を混合し、計測対象ガスに照射する合波器１５と、計測対象ガスを透過したレーザ光を受光し、受光したレーザ光の強度に応じた電気信号を出力する受光器１９と、受光器１９から出力された電気信号に基づき計測対象ガスの温度及び／または濃度を分析する解析装置２３と、を備える。レーザ制御装置１４は、レーザ光１及びレーザ光２の波長を変化させる際に、第１レーザ光の振幅の大きさと第２レーザ光の振幅の大きさとを異ならせて、かつ、レーザ光１の強度とレーザ光２の強度とを逆方向に変化させる。
【００５１】
レーザ光１及びレーザ光２の波長を変化させる際に、レーザ光１の強度とレーザ光２の強度とを逆方向に変化させることで、計測対象ガスに照射される、レーザ光１とレーザ光２の混合光において、光強度の変化を低減できる。これにより、吸収量の評価限界を拡大することができる。また、計測対象ガスに照射するレーザ光を生成するために分波器や多数の合波器を必要としないため、ガス分析装置の構造をシンプルにすることができる。また、レーザ光１の振幅の大きさとレーザ光２の振幅の大きさとを異ならせることで、計測対象ガスに照射されるレーザ光の変動等、本来の吸収以外の要因により受光器１９での受光量の変動が発生した場合に、その変動分をキャンセルすることが可能となる。
【００５２】
また、レーザ光１による吸収スペクトルにおける吸収線の現れる位置と、レーザ光２による吸収スペクトルにおける吸収線の現れる位置とが異なるように第１レーザ光の発光強度と第２レーザ光の発光強度を変化させてもよい。この構成により、複数のガス成分を同時の測定することが可能となる。
【００５３】
また、レーザ光１を、計測対象ガスの成分が吸収する特定の波長を含む波長帯において変化させ、レーザ光２を、計測対象ガス成分が吸収しない特定の波長を含む波長帯、または計測対象ガス以外のガス成分が吸収する波長を含む波長帯において変化させてもよい。これにより、レーザ光１による吸収スペクトルから計測対象ガスの成分を測定することができる。
【００５４】
（実施の形態２）
実施の形態１では、１つのパス（光路）を有し、一次元的に計測対象ガスの状態を測定するガス分析装置の構成を説明した。本実施形態では、計測対象ガスの濃度や温度を二次元的に計測可能とするため、複数のパスでの測定を可能とする二次元ガス分析装置の構成を説明する。
【００５５】
一般的によく知られているＸ線ＣＴ（Computed Tomography）はＸ線を利用して対象物をスキャンしてその断面内を細分化し、Ｘ線吸収量をその切り分けた要素毎に計測し、未知数と同じ数のＸ線吸収量の情報を集めることで対象物断面を構成する技術である。計測対象ガスに水蒸気や炭酸ガス等の成分が多く含まれている場合、照射された光は固有の吸収スペクトルを持つそれらの化学種を通過するときに、ある波長で一部吸収されて減衰する。吸収法では、計測場を透過する光路の積分値として吸収量が計測される。複数のレーザ光を計測場に照射し、ＣＴを用いて二次元画像を再構成することで、二次元温度分布を計測することができる。
【００５６】
１．二次元ガス分析装置の構成
図１０に、本実施形態における、計測対象ガスの濃度や温度を二次元的に計測可能な二次元ガス分析装置の構成を示す。二次元ガス分析装置１０ａは、２つのレーザ１１及びレーザ１２と、レーザ制御装置１４と、合波器１５と、ファイバスプリッタ３１と、計測セル３０と、解析装置２３とを有する。
【００５７】
計測セル３０は、開口を有し、略円形状のフレーム３３を有する。フレーム３３に対して、１６個の光路（パス）の透過光強度を計測するため、１６個のコリメータ１７と、各コリメータ１７と対向して設けられた１６個の受光器１９とが取り付けられている。
【００５８】
計測セル３０は、その開口において、一対のコリメータ１７と受光器１９とがパス（光路）を形成する。すなわち、計測セル３０は１６個のパス（光路）を有する。各パス（光路）は同じ平面に含まれるよう構成されており、この平面内において二次元的な計測が可能となる。なお、以下では、各パス（光路）を含む平面の法線方向を「計測セル３０の法線方向」という。
【００５９】
なお、実施の形態１で示したアンプ２１は、図１０において説明の便宜上図示していないが、本実施形態においても同一のまたは同等の機能を有する装置が設けられている。
【００６０】
このような構成を有する計測セル３０は計測対象のガスが含まれる計測場に配置され、二次元ガス分析装置１０ａは、計測セル３０の開口領域におけるガス成分の測定を行う。
【００６１】
レーザ１１は、例えば、計測対象ガスの成分が吸収する特定の波長を含む波長帯のレーザ光を出力し、レーザ１２は、計測対象ガス成分が吸収しない特定の波長、または他のガス成分が吸収する波長を含む波長帯のレーザ光を出力する。また、レーザ１１及びレーザ１２は強度変化の向きが互いに異なるレーザ光を出力する。レーザ１１及びレーザ１２それぞれから出射されたレーザ光は合波器１５に入力されて混合される。
【００６２】
レーザ１１及びレーザ１２から出射され合波器１５で混合された光は、ファイバスプリッタ３１に入力される。ファイバスプリッタ３１は混合光を分岐して１６個のコリメータ１７それぞれに入力させる。分岐されたレーザ光はコリメータ１７を介して計測場に照射される。計測場を透過したレーザ光は受光器１９で受光され、電気信号に変換され、解析装置２３に入力される。
【００６３】
解析装置２３は、各受光器１９からの信号波形を解析して、ガス成分の濃度及び／または温度分布を示す二次元画像を再構築する。二次元画像の再構築は既存のＣＴ技術を用いて行うことができる。
【００６４】
本例では、パス（光路）の数が１６個の例を説明したが、パス（光路）の数は１６に限定されるものではなく、８、１２等でもよい。
【００６５】
２．応用例
以下、本実施形態の二次元ガス分析装置１０ａの応用例をいくつか説明する。
【００６６】
（１）応用例１
二次元ガス分析装置１０ａは、火力発電所等で使用されるボイラ用バーナーの燃焼室内の燃焼状態（対象ガスの温度、濃度）の検出に適用することができる。図１１は、本実施形態の二次元ガス分析装置１０ａのボイラ用バーナーへの適用を説明した図である。例えば、計測セル３０を、図１１に示すようにボイラに配置することで、バーナー１００の燃焼室１１０内の燃焼状態を二次元的に把握することが可能となる。さらに、燃焼室１１０に対して、計測セル３０を、その法線方向に複数並べて配置することで、３次元的に燃焼状態を測定することも可能になる。
【００６７】
（２）応用例２
二次元ガス分析装置１０ａは、車両用エンジンの燃焼状態（対象ガスの温度、濃度）の検出に適用することができる。図１２は、本実施形態の二次元ガス分析装置１０ａの車両用エンジンへの適用を説明した図である。例えば、計測セル３０を、図１２に示すように、エンジン２００のシリンダ２１０内に（位置Ｘ）に設けることで、シリンダ内部の燃焼状態を検出することが可能となる。また、シリンダ２１０から排出される排気ガスの流路である排気管（位置Ｙ）に計測セル３０を設けてもよい。これにより、排気ガスの温度、濃度を検出することが可能となる。また、シリンダ２１０内または排気管に対して、計測セル３０をその法線方向に複数並べて配置して設けることで、３次元的にガスの状態を測定することも可能になる。
【００６８】
以上の構成は、エンジンのシリンダ内または排気系において各種ガスの温度、濃度の検出を可能とし、燃焼の過渡現象や未燃燃料排出挙動の解明に有用である。
【００６９】
（３）応用例３
二次元ガス分析装置１０ａは、ジェットエンジンや産業用ガスタービンの燃焼状態（対象ガスの温度、濃度）の検出に適用することができる。図１３は、本実施形態の二次元ガス分析装置１０ａのジェットエンジンへの適用を説明した図である。ジェットエンジン３００（またはガスタービン）では、取り込んだ気流はタービン３０３の回転力を原動力とする圧縮機により圧縮され、燃焼器３０１において燃料と混合されて燃焼させられる。燃焼により生じた燃焼ガスはタービン３０３を回転させるとともに、噴射口から外部に排気される。計測セル３０は、例えば、図１３に示すように、ジェットエンジン３００の噴射口付近に設けてもよい。これにより、ジェット燃料シリンダ内部の燃焼状態を検出することが可能となる。このような技術は、流れ場及び燃料不均一性による振動現象の解明に有用である。また、計測セル３０を、噴射口付近において、燃焼ガスの排気方向に複数並べて配置してもよく。これにより３次元的に燃焼状態の検出が可能となる。
【００７０】
以上のように、ＣＴ技術とレーザを組み合せた分析装置の構成を、二次元あるいは３次元で温度・濃度分布を計測する手法に適用することで、装置の簡略化と定量化、高感度化を達成しつつ、ボイラ、エンジン、ガスタービンなどの燃焼機器へ応用展開させることが可能となる。
【００７１】
３．まとめ
本実施形態の二次元ガス分析装置１０ａは、レーザ光１を出力するレーザ１１と、レーザ光２を出力するレーザ１２と、レーザ光１及びレーザ光２の波長をそれぞれ所定の波長帯において変化させるように、レーザ１１及びレーザ１２を制御するレーザ制御装置１４と、レーザ光１とレーザ光２を混合する合波器１５と、合波器１５から出力されたレーザ光を複数の光路に分岐して計測対象ガスに照射するファイバスプリッタ３１と、複数の光路の各々に対応して設けられ、計測対象ガスを透過したレーザ光を受光し、受光したレーザ光の強度に応じた電気信号を出力する複数の受光器１９と、各受光器１９から出力された電気信号に基づき、計測対象ガスの温度及び／または濃度の分布に関する二次元画像を再構築する解析装置２３と、を備える。レーザ制御装置１４は、レーザ光１及びレーザ光２の波長を変化させる際に、レーザ光１の強度とレーザ光２の強度とを逆方向に変化させる。
【００７２】
本実施形態の二次元ガス分析装置１０ａにより、計測対象ガスの温度や濃度の分布を２次元的に計測することが可能となる。
【００７３】
（実施の形態３）
実施の形態１では、光強度の変化の向きを互いに異ならせた２つのレーザ光を用いて計測を行ったが、本実施形態では、１つのレーザ光のみを用いて計測を行うガス分析装置の構成を説明する。
【００７４】
図１４に、実施の形態３のガス分析装置の構成を示す。実施の形態３のガス分析装置１０ｂは、１つのレーザ１１と、コリメータ１７と、受光器１９と、アンプ２１と、解析装置２３と、計測制御装置１４ｂとを備える。
【００７５】
計測制御装置１４ｂは、レーザ１１から出力されるレーザ光の強度を制御するとともに、その強度変化に同期して受光器１９（フォトディテクタ）に印加する電圧（電流）を変化させる。図１５に、計測制御装置１４ｂにより制御されるレーザ１１から出力されるレーザ光の強度の変化と、受光器１９（フォトディテクタ）に印加する電圧（電流）の変化とを示す。
【００７６】
計測制御装置１４ｂは、図１５（ａ）に示すように、レーザ１１の強度を周期的に変化させる。その強度変化に同期して、計測制御装置１４ｂは、図１５（ｂ）に示すように、受光器１９（フォトディテクタ）に印加する電圧（電流）を、レーザ光の変化と逆向きに変化させる。その際、受光器１９（フォトディテクタ）に印加する電圧の振幅の大きさは、受光器１９から出力される信号が図１５（ｃ）に示すように段差ｂを有するように設定する。その結果、受光器１９から出力される信号は、変動の少ない信号となる（なお、図１５（ｃ）に示す信号は、吸収による影響を受けていない信号である）。このように、１つのレーザ光の強度変化に同期して、受光器１９に対する印加電圧を、レーザ光の強度変化と逆向きに変化させて制御することによっても、受光器１９から出力される信号の変動を低減できるため、実施の形態１と同様の効果が得られる。また、段差ｂのある波形を用いることで、計測対象ガスに照射されるレーザ光の変動等、本来の吸収以外の要因（レーザ光の光路中に設けられた窓の汚れ等）により受光器１９での受光量の変動が発生した場合に、その変動分を補正することが可能となる。
【符号の説明】
【００７７】
１０、１０ｂ  ガス分析装置
１０ａ  二次元ガス分析装置
１１、１２  レーザ
１４  レーザ制御装置
１４ｂ  計測制御装置
１５  合波器
１７  コリメータ
１９  受光器
２１  アンプ
２３、３５  解析装置（コンピュータ）
３０  二次元ガス分析装置の計測セル
１００  バーナー
２００  車両用エンジン
３００  ジェットエンジン（ガスタービン）